(57)【要約】【課題】爪先部分が歩行面（床面）の段差に引っ掛かることを抑制できる、室内履き用の後付アウトソールおよび室内履きを提供する。【解決手段】後付アウトソール１は、貼着部７と反り部８とが一体に形成された構成を有し、貼着部７がスリッパ２（アウトソール６）の平坦な底面に貼り合わされることにより、スリッパ２に後付けされる。貼着部７は、スリッパ２の底面の外縁からはみ出る部分を切除可能であり、その切除により、スリッパ２の底面の形状に合わせることができる。貼着部７が底面に貼り合わされた状態で、反り部８は、スリッパ２よりも爪先側に反り上がるように延出する。【選択図】図１
0003208769.tif 000002
【実用新案登録請求の範囲】
【請求項１】
底面が平坦に形成された室内履きに後付けされるアウトソールであって、
前記底面に貼り合わされて、前記底面の外縁からはみ出る部分が切除可能な貼着部と、
前記貼着部と一体に形成され、前記貼着部が前記底面に貼り合わされた状態で前記室内履きよりも爪先側に回り込んで反り上がるように延出して、前記室内履きに対して離間する反り部とを含む、後付アウトソール。
【請求項２】
底と、
前記底の上側に設けられ、足の甲から爪先側の部分が入れられるアッパとを備え、
前記底は、足裏と接触するインソールと歩行面と接触するアウトソールとを重ね合わせた構成を有し、
前記インソールは、爪先側の先端と踵側の後端との間で裏面が平坦に形成され、
前記アウトソールは、前記インソールの先端よりも爪先側に回り込んで反り上がるように延出して、前記インソールに対して離間する反り部を有している、室内履き。
【請求項３】
足の甲から爪先側の部分を前記アッパに滑らせるように入れることが可能なスリッパである、請求項２に記載の室内履き。
【考案の詳細な説明】
【技術分野】
【０００１】
本考案は、室内履きに後付けされるアウトソールおよび室内履きに関し、とくに、足を滑らせるようにアッパに入れて履くことが可能なタイプの室内履き、いわゆるスリッパおよびそのタイプの室内履きに後付けされるアウトソールに関する。
【背景技術】
【０００２】
たとえば、室内履きの一種であるスリッパは、底および底の上側に設けられたアッパを備えており、足の甲から先の部分を滑らせるようにアッパ内に入れて履くことができる。
【０００３】
一般的なスリッパでは、底面が平坦に形成されている。また、スリッパを履いている人の歩行は、素足またはスリッパ以外の履物を履いている人の歩行と比べて、歩幅が小さくなり、摺り足になりやすい。そのため、スリッパでの歩行は、スリッパの爪先部分が上がりにくくなり、歩行面のわずかな高さにも対応できず、スリッパの爪先部分が敷居などの段差（突起物）に引っ掛かってつまずきやすい。とくに高齢者や下肢不自由者などは、スリッパでの歩行中に段差につまずいて転倒し、場合によっては怪我することがある。
【先行技術文献】
【特許文献】
【０００４】
【特許文献１】特開２００７−１４３９３８号公報
【特許文献２】実用新案登録第３０９５３８６号公報
【考案の概要】
【考案が解決しようとする課題】
【０００５】
本考案の目的は、爪先部分が歩行面（床面）の段差に引っ掛かることを抑制できる、室内履き用の後付アウトソールおよび室内履きを提供することである。
【課題を解決するための手段】
【０００６】
前記の目的を達成するため、本考案の一の局面に係る後付アウトソールは、底面が平坦に形成された室内履きに後付けされるアウトソールであって、室内履きの底面に貼り合わされて、当該底面の外縁からはみ出る部分が切除可能な貼着部と、貼着部と一体に形成され、貼着部が室内履きの底面に貼り合わされた状態で室内履きよりも爪先側に回り込んで反り上がるように延出して、室内履きに対して離間する反り部とを含む。
【０００７】
この構成によれば、後付アウトソールは、貼着部と反り部とが一体に形成された構成を有し、貼着部が室内履きの平坦な底面に貼り合わされることにより、室内履きに後付けされる。貼着部は、室内履きの底面の外縁からはみ出る部分を切除可能であり、その切除により、室内履きの底面の形状に合わせることができる。貼着部が底面に貼り合わされた状態で、反り部は、室内履きよりも爪先側に回り込んで反り上がるように延出して、室内履きに対して離間する。
【０００８】
そのため、室内履きを履いた人が摺り足で歩行しても、室内履きが歩行面の段差に差し掛かるときに、反り部の裏面（底面）が段差に当たるので、反り部が段差に引っ掛かることなく段差上にスムーズに乗り上がる。その後、反り部に続いて、貼着部が段差上に乗り上がる。よって、室内履きの爪先部分が歩行面の段差に引っ掛かることを抑制でき、とくに高齢者や下肢不自由者などが歩行中に段差につまずいて転倒したり怪我したりすることを抑制できる。
【０００９】
本考案の他の局面に係る室内履きは、底と、底の上側に設けられ、足の甲から爪先側の部分が入れられるアッパとを備え、底は、足裏と接触するインソールと歩行面と接触するアウトソールとを重ね合わせた構成を有し、インソールは、爪先側の先端と踵側の後端との間で裏面が平坦に形成され、アウトソールは、インソールの先端よりも爪先側に回り込んで反り上がるように延出して、インソールに対して離間する反り部を有している。
【００１０】
この構成によれば、室内履きの底は、足裏と接触するインソールと歩行面と接触するアウトソールとを重ね合わせた構成を有している。アウトソールには、インソールの先端よりも爪先側に回り込んで反り上がるように延出してインソールから離間する反り部が形成されている。
【００１１】
そのため、室内履きを履いた人が摺り足で歩行しても、室内履きが歩行面の段差に差し掛かるときに、反り部の裏面（底面）が段差に当たるので、反り部が段差に引っ掛かることなく段差上にスムーズに乗り上がる。その後、反り部に続いて、アウトソールの踵側の部分が段差上に乗り上がる。よって、室内履きの爪先部分が歩行面の段差に引っ掛かることを抑制でき、とくに高齢者や下肢不自由者などが歩行中に段差につまずいて転倒したり怪我したりすることを抑制できる。
【００１２】
本考案に係る室内履きは、足の甲から爪先側の部分を滑らせるようにアッパに入れて履くことが可能なスリッパであってもよい。
【００１３】
従来、底の爪先部分を反り上がらせたスリッパが提案されている（たとえば、特許文献１，２参照）。ところが、その提案に係るスリッパでは、アウトソールだけでなくインソール（またはフィラー（中物））の爪先部分も反り上がっている。そのため、足がアッパの奥まで入った場合に、足指が反り上がった部分に載って持ち上がり、歩行時にとくに親指に力が入りにくく、やや前傾姿勢で歩行する高齢者などは、摺り足であっても歩行が不安定になるおそれがある。
【００１４】
本考案に係る室内履きサンダルでは、インソールは、その爪先側の先端と踵側の後端との間で平板状に形成されており、アウトソールの爪先側の先端部分となる反り部のみが、インソールよりも爪先側で反り上がっている。そのため、足指が持ち上がらず、足指に力を入れて歩行することができる。よって、高齢者などが安定して歩行できながら、その歩行中に段差につまずくことを抑制できる。
【考案の効果】
【００１５】
本考案によれば、サンダルの爪先部分が歩行面の段差に引っ掛かることを抑制でき、とくに高齢者や下肢不自由者などが歩行中に段差につまずいて転倒したり怪我したりすることを抑制できる。
【図面の簡単な説明】
【００１６】
【図１】本考案の第１実施形態に係る後付アウトソールが後付けされたスリッパの側面図である。
【図２】後付アウトソールの斜視図である。
【図３】本考案の第２実施形態に係るスリッパの側面図である。
【考案を実施するための形態】
【００１７】
以下では、本考案の実施の形態について、添付図面を参照しつつ詳細に説明する。
【００１８】
＜第１実施形態＞
図１は、本考案の第１実施形態に係る後付アウトソール１が後付けされたスリッパ２の側面図である。
【００１９】
後付アウトソール１は、１００円ショップなどで市販されているスリッパ２に後付けして使用される。
【００２０】
スリッパ２は、底３およびアーチ状または袋状のアッパ４を備え、底３とアッパ４との間に形成される空間に足Ｆの甲から先の部分を滑らせるように入れて、足Ｆにつっかけて履くことが可能な屋内用サンダルの一種である。
【００２１】
底３は、足裏と接触するインソール５と歩行面（床面）と接触するアウトソール６とを貼り合わせて構成されている。インソール５およびアウトソール６は、平面視でほぼ同じ形状を有している。インソール５は、たとえば、スリッパ２の爪先側（先端側）ほど薄肉に形成されているが、これに限らず、ほぼ均一な厚みを有していてもよい。アウトソール６は、ほぼ均一な厚みを有する板状に形成されており、底３の底面となる裏面は、平坦である。
【００２２】
図２は、後付アウトソール１の斜視図である。
【００２３】
後付アウトソール１は、ほぼ均一な厚みを有しており、貼着部７および反り部８を一体的に備えている。後付アウトソール１の材料および厚みは、事務用はさみやキッチンバサミなどの一般的な家庭用はさみで切断可能であればよく、とくに限定されない。後付アウトソール１の材料には、たとえば、スリッパ２のアウトソール６に用いられる種々の材料（ゴムなど）を採用することができるが、弾力性を有する比較的柔らかい素材が採用されることが好ましい。
【００２４】
貼着部７は、アウトソール６の一般的な形状に形成されている。貼着部７の上面（歩行面に接触する面と反対側の面）には、接着剤からなる接着層（両面接着シート）が設けられており、後付アウトソール１の使用前は、その接着層に剥離紙９が貼り合わされている。そして、後付アウトソール１の使用に際しては、剥離紙９が剥離されて、接着層により、貼着部７がスリッパ２のアウトソール６の底面に貼り合わされる。貼着部７がアウトソール６の底面に貼り合わされた後、貼着部７におけるアウトソール６の外縁からはみ出た部分は、はさみやカッターナイフを用いて切除されるとよい。
【００２５】
反り部８は、貼着部７の爪先側に延設されている。反り部８は、平面視において、たとえば、貼着部７の爪先側の先端からほぼ均一な幅で爪先側に延出し、先端縁が円弧状に湾曲している。反り部８の平面形状は、これに限らず、先細りとなる略三角形状ないし半楕円形状であってもよい。そして、反り部８は、貼着部７がスリッパ２のアウトソール６の底面に貼り合わされた状態で、スリッパ２（アウトソール６）よりも爪先側に反り上がるように湾曲して延出し、スリッパ２に対して爪先側に離間している。スリッパ２の爪先側の先端からの反り部８の延出量は、たとえば、約２ｃｍであり、歩行面に対する反り部８の爪先側の先端の高さは、たとえば、約１．２〜１．５ｃｍであることが好ましい。
【００２６】
＜作用効果＞
以上のように、後付アウトソール１は、貼着部７と反り部８とが一体に形成された構成を有し、貼着部７がスリッパ２（アウトソール６）の平坦な底面に貼り合わされることにより、スリッパ２に後付けされる。貼着部７は、スリッパ２の底面の外縁からはみ出る部分を切除可能であり、その切除により、スリッパ２の底面の形状に合わせることができる。貼着部７が底面に貼り合わされた状態で、反り部８は、スリッパ２よりも爪先側に反り上がるように延出する。
【００２７】
そのため、スリッパ２を履いた人が摺り足で歩行しても、スリッパ２が歩行面の段差に差し掛かるときに、反り部８の裏面（底面）が段差に当たるので、反り部８が段差に引っ掛かることなく段差上にスムーズに乗り上がる。その後、反り部８に続いて、貼着部７が段差上に乗り上がる。よって、スリッパ２の爪先部分が歩行面の段差に引っ掛かることを抑制でき、とくに高齢者や下肢不自由者などが歩行中に段差につまずいて転倒したり怪我したりすることを抑制できる。
【００２８】
また、スリッパ２のアッパ４がアーチ状に形成され、アッパ４の先端から足Ｆの爪先が出る場合に、後付アウトソール１の反り部８がスリッパ２の爪先側に回り込んでいるので、反り部８で爪先を保護することができ、歩行面に設置された部材（たとえば、箪笥や机など）に爪先をぶつけることを抑制できる。
【００２９】
さらに、後付アウトソール１がスリッパ２の底面に後付けされても、スリッパ２の底３の形状に変化がない、具体的には、インソール５およびアウトソール６の爪先部分が反り上がらない。そのため、足がアッパ４の奥まで入った場合にも、足指が持ち上がらず、足指に力を入れて歩行することができる。よって、高齢者などが安定して歩行できながら、その歩行中に段差につまずくことを抑制できる。
【００３０】
また、後付アウトソール１の材料に弾力性を有する比較的柔らかい素材が用いられている場合には、後付アウトソール１の反り部８が歩行面の段差に衝突したときに、その衝突の衝撃が反り部８の変形によって吸収される。そのため、歩行者が慣性で前につんのめることを抑制できる。また、反り部８の変形により、スリッパ２の底３（インソール５およびアウトソール６）の持ち上がり変形を抑制することができ、足指に力を入れることができる。よって、高齢者などが歩行中に段差につまずいて転倒することを一層抑制できる。さらに、後付アウトソール１の反り部８を足で踏みつけても、反り部８が容易に変形するので、足裏を怪我することを防止できる。
【００３１】
さらには、反り部８が容易に変形可能であれば、一対のスリッパ２の一方のアッパ４に他方のスリッパ２のアッパ４を差し込むことができ、一対のスリッパ２を重ね合わせた状態でスリッパラックなどに収納することができる。
【００３２】
さらにまた、スリッパ２の爪先側の先端からの反り部８の延出量が約２ｃｍであり、歩行面に対する反り部８の爪先側の先端の高さが約１．２〜１．５ｃｍであれば、歩行中に段差でつまずくことを抑制できながら、スリッパ２の美観を損なうことを抑制できる。
【００３３】
＜第２実施形態＞
図３は、本考案の第２実施形態に係るスリッパ１１の側面図である。
【００３４】
スリッパ１１は、底１２および袋状のアッパ１３を備え、底１２とアッパ１３との間に形成される空間に足の甲から先の部分を滑らせるように入れて、足につっかけて履くことが可能な屋内用サンダルの一種である。
【００３５】
底１２は、足裏と接触するインソール１４と歩行面と接触するアウトソール１５とを重ね合わせて構成されている。
【００３６】
インソール１４は、爪先側の先端と踵側の後端との間で裏面が平坦であり、たとえば、爪先側ほど薄肉に形成されている。ただし、これに限らず、インソール１４は、ほぼ均一な厚みを有していてもよい。
【００３７】
アウトソール１５は、ほぼ均一な厚みを有しており、本体部１６および反り部１７を一体的に備えている。アウトソール１５の材料には、従来のアウトソールに広く用いられている種々の材料（ゴムなど）を採用することができるが、弾力性を有する比較的柔らかい素材が採用されることが好ましい。
【００３８】
本体部１６は、平面視でインソール１４とほぼ同一の形状を有する平板状に形成されており、インソール１４と位置調整して重ね合わされている。
【００３９】
反り部１７は、本体部１６の爪先側に延設されている。反り部１７は、平面視において、たとえば、本体部１６の爪先側の先端からほぼ均一な幅で爪先側に延出し、先端縁が円弧状に湾曲している。反り部１７の平面形状は、これに限らず、先細りとなる略三角形状ないし半楕円形状であってもよい。そして、反り部１７は、アッパ１３およびインソール１４の爪先側に回り込んで反り上がるように湾曲して延出し、インソール１４に対して爪先側に離間している。インソール１４の爪先側の先端からの反り部１７の延出量は、たとえば、約２ｃｍであり、歩行面に対する反り部１７の爪先側の先端の高さは、たとえば、約１．２〜１．５ｃｍであることが好ましい。
【００４０】
＜作用効果＞
この構成によれば、スリッパ１１の底１２は、足裏と接触するインソール１４と歩行面と接触するアウトソール１５とを重ね合わせた構成を有している。アウトソール１５には、インソール１４の先端よりも爪先側に回り込んで反り上がるように延出する反り部１７が形成されている。
【００４１】
そのため、スリッパ１１を履いた人が摺り足で歩行しても、スリッパ１１が歩行面の段差に差し掛かるときに、反り部１７の裏面（底面）が段差に当たるので、反り部１７が段差に引っ掛かることなく段差上にスムーズに乗り上がる。その後、反り部１７に続いて、アウトソール１５の踵側の部分が段差上に乗り上がる。よって、スリッパ１１の爪先部分が歩行面の段差に引っ掛かることを抑制でき、とくに高齢者や下肢不自由者などが歩行中に段差につまずいて転倒したり怪我したりすることを抑制できる。
【００４２】
アッパ１３は、袋状に形成されているとしたが、爪先側が開放されたアーチ状に形成されていてもよい。この場合、アッパ１３の先端から足Ｆの爪先が出ていても、反り部１７がアッパ１３の爪先側に回り込んでいるので、反り部１７で爪先を保護することができ、歩行面に設置された部材（たとえば、箪笥や机など）に爪先をぶつけることを抑制できる。
【００４３】
さらに、アウトソール１５に反り部１７が設けられていても、インソール１４の爪先部分は反り上がっていない。そのため、足がアッパ１３の奥まで入った場合にも、足指が持ち上がらず、足指に力を入れて歩行することができる。よって、高齢者などが安定して歩行できながら、その歩行中に段差につまずくことを抑制できる。
【００４４】
また、アウトソール１５の材料に弾力性を有する比較的柔らかい素材が用いられている場合には、アウトソール１５の反り部１７が歩行面の段差に衝突したときに、その衝突の衝撃が反り部１７の変形によって吸収される。そのため、歩行者が慣性で前につんのめることを抑制できる。また、反り部１７の変形により、インソール１４の持ち上がり変形を抑制することができ、足指に力を入れることができる。よって、高齢者などが歩行中に段差につまずいて転倒することを一層抑制できる。さらに、アウトソール１５の反り部１７を足で踏みつけても、反り部１７が容易に変形するので、足裏を怪我することを防止できる。
【００４５】
さらには、反り部１７が容易に変形可能であれば、一対のスリッパ１１の一方のアッパ１３に他方のスリッパ１１のアッパ１３を差し込むことができ、一対のスリッパ１１を重ね合わせた状態でスリッパラックなどに収納することができる。
【００４６】
さらにまた、インソール１４の爪先側の先端からの反り部１７の延出量が約２ｃｍであり、歩行面に対する反り部１７の爪先側の先端の高さが約１．２〜１．５ｃｍであれば、歩行中に段差でつまずくことを抑制できながら、スリッパ１１の美観が反り部１７の存在によって損なわれることを抑制できる。
【００４７】
＜変形例＞
以上、本考案の２つの実施形態について説明したが、本考案は、さらに他の形態で実施することもでき、前述した構成には、実用新案登録請求の範囲に記載された事項の範囲で種々の設計変更を施すことが可能である。
【符号の説明】
【００４８】
１：後付アウトソール
２：スリッパ（サンダル）
７：貼着部
８：反り部
１１：スリッパ（サンダル）
１２：底
１３：アッパ
１４：インソール
１５：アウトソール
１７：反り部
【図１】
0003208769.tif 000003
【図２】
0003208769.tif 000004
【図３】
0003208769.tif 000005